(57)【要約】【課題】読影レポートの作成における操作性を向上させる。【解決手段】医用画像に対して複数の読影段階毎にそれぞれ異なるユーザにより入力される読影結果を示す複数の読影レポートを作成するための読影レポート作成システムにおいて、複数の読影レポートのそれぞれを含む各読影レポート画面を、０次読影タブ４１、１次読影タブ４２、２次読影タブ４３、承認読影タブ４４により切り替え可能に表示させる。この際、複数の読影段階毎の読影状態、及び、使用中のユーザに対応する複数の読影段階における読影レポートの作成権限の有無に基づいて、初期画面としていずれの読影段階の読影レポート画面を表示するかを選択し、選択された読影段階の読影レポート画面を初期画面として表示させる。【選択図】図１２
2012198732.tif 000002
【特許請求の範囲】
【請求項１】
医用画像に対して複数の読影段階毎にそれぞれ異なるユーザにより入力される読影結果を示す複数の読影レポートを作成するための読影レポート作成システムであって、
前記複数の読影段階毎の読影状態を記憶する読影状態記憶手段と、
前記複数の読影段階毎に作成される前記複数の読影レポートを記憶する読影レポート記憶手段と、
前記読影レポート記憶手段に記憶されている複数の読影レポートのそれぞれを含む各読影レポート画面をタブにより切り替え可能に表示手段に表示させる表示制御手段と、
前記読影状態記憶手段に記憶されている複数の読影段階毎の読影状態に基づいて、初期画面としていずれの読影段階の読影レポート画面を表示するかを選択する選択手段と、
を備え、
前記表示制御手段は、前記選択手段により選択された読影段階の読影レポート画面を初期画面として前記表示手段に表示させる、
読影レポート作成システム。
【請求項２】
当該読影レポート作成システムのユーザを認識する認識手段と、
ユーザ毎に前記複数の読影段階における読影レポートの作成権限の有無を記憶する権限記憶手段と、
を備え、
前記選択手段は、さらに、前記権限記憶手段から前記認識されたユーザに対応する前記複数の読影段階における読影レポートの作成権限の有無を取得し、当該読影レポートの作成権限の有無に基づいて、初期画面としていずれの読影段階の読影レポート画面を表示するかを選択する、
請求項１に記載の読影レポート作成システム。
【請求項３】
前記複数の読影レポート毎に読影結果を入力したユーザを記憶する作成者記憶手段を備え、
前記表示制御手段は、前記読影状態記憶手段に記憶されている複数の読影段階毎の読影状態、及び、前記作成者記憶手段に記憶されている前記複数の読影レポート毎の読影結果を入力したユーザに基づいて、前記医用画像に対する読影が終了している読影段階の読影レポート画面については、当該読影レポート画面に対応するタブに、当該読影レポート画面に表示される読影結果を入力したユーザを表示させる、
請求項１又は２に記載の読影レポート作成システム。
【請求項４】
前記表示制御手段は、前記読影状態記憶手段に記憶されている複数の読影段階毎の読影状態に基づいて、前記医用画像に対する読影が最終段階まで終了している場合には、最終段階の読影レポート画面のみを表示させ、他の読影段階の読影レポート画面を選択するためのタブを非表示とする、
請求項１から３のいずれか一項に記載の読影レポート作成システム。
【請求項５】
医用画像に対して複数の読影段階毎にそれぞれ異なるユーザにより入力される読影結果を示す複数の読影レポートを作成する際の読影レポート表示方法であって、
読影レポート記憶手段に記憶されている、前記複数の読影段階毎に作成される複数の読影レポートのそれぞれを含む各読影レポート画面をタブにより切り替え可能に表示手段に表示させる表示制御工程を含み、
読影状態記憶手段に記憶されている複数の読影段階毎の読影状態に基づいて、初期画面としていずれの読影段階の読影レポート画面を表示するかを選択する選択工程をさらに含み、
前記表示制御工程では、前記選択工程において選択された読影段階の読影レポート画面を初期画面として前記表示手段に表示させる、
読影レポート表示方法。
【発明の詳細な説明】
【技術分野】
【０００１】
本発明は、読影レポート作成システム及び読影レポート表示方法に関する。
【背景技術】
【０００２】
近年、ＰＡＣＳ（Picture Archiving and Communication System）の普及により、ＣＲ（Computed Radiography）、ＣＴ（Computed Tomography）、ＭＲ（Magnetic Resonance）等のモダリティで撮影された医用画像は、デジタル画像として画像サーバに保存されている。
【０００３】
大病院等では、診断精度を向上させるために、一つの検査に対して複数の医師が読影を行う方法が取られている。具体的には、患者を撮影して得られた医用画像を第１の医師が読影した後、第２の医師が読影し、承認権限のある医師（承認医）が最終的な読影結果を確定させている。このような読影方法は、ダブルリーディング、オーバーリーディングと呼ばれている。複数の読影結果を区別して表示するために、複数の医師による所見が記入された読影レポートを作成する読影レポートシステムにおいて、医師毎に所見を抽出して表示するものが提案されている（特許文献１参照）。
【先行技術文献】
【特許文献】
【０００４】
【特許文献１】特開２００９−６０９４５号公報
【発明の概要】
【発明が解決しようとする課題】
【０００５】
しかしながら、ダブルリーディングにおいては、複数のユーザによって複数の段階を経て読影が進むため、読影段階毎に読影レポートを管理する必要がある。そのため、読影段階毎の複数の読影レポート画面の中から、ユーザが入力又は参照すべき読影レポート画面を、その都度選択する必要があり、煩雑な作業であった。
【０００６】
本発明は上記の従来技術における問題に鑑みてなされたものであって、読影レポートの作成における操作性を向上させることを課題とする。
【課題を解決するための手段】
【０００７】
上記課題を解決するために、請求項１に記載の発明は、医用画像に対して複数の読影段階毎にそれぞれ異なるユーザにより入力される読影結果を示す複数の読影レポートを作成するための読影レポート作成システムであって、前記複数の読影段階毎の読影状態を記憶する読影状態記憶手段と、前記複数の読影段階毎に作成される前記複数の読影レポートを記憶する読影レポート記憶手段と、前記読影レポート記憶手段に記憶されている複数の読影レポートのそれぞれを含む各読影レポート画面をタブにより切り替え可能に表示手段に表示させる表示制御手段と、前記読影状態記憶手段に記憶されている複数の読影段階毎の読影状態に基づいて、初期画面としていずれの読影段階の読影レポート画面を表示するかを選択する選択手段と、を備え、前記表示制御手段は、前記選択手段により選択された読影段階の読影レポート画面を初期画面として前記表示手段に表示させる。
【０００８】
請求項２に記載の発明は、請求項１に記載の読影レポート作成システムにおいて、当該読影レポート作成システムのユーザを認識する認識手段と、ユーザ毎に前記複数の読影段階における読影レポートの作成権限の有無を記憶する権限記憶手段と、を備え、前記選択手段は、さらに、前記権限記憶手段から前記認識されたユーザに対応する前記複数の読影段階における読影レポートの作成権限の有無を取得し、当該読影レポートの作成権限の有無に基づいて、初期画面としていずれの読影段階の読影レポート画面を表示するかを選択する。
【０００９】
請求項３に記載の発明は、請求項１又は２に記載の読影レポート作成システムにおいて、前記複数の読影レポート毎に読影結果を入力したユーザを記憶する作成者記憶手段を備え、前記表示制御手段は、前記読影状態記憶手段に記憶されている複数の読影段階毎の読影状態、及び、前記作成者記憶手段に記憶されている前記複数の読影レポート毎の読影結果を入力したユーザに基づいて、前記医用画像に対する読影が終了している読影段階の読影レポート画面については、当該読影レポート画面に対応するタブに、当該読影レポート画面に表示される読影結果を入力したユーザを表示させる。
【００１０】
請求項４に記載の発明は、請求項１から３のいずれか一項に記載の読影レポート作成システムにおいて、前記表示制御手段は、前記読影状態記憶手段に記憶されている複数の読影段階毎の読影状態に基づいて、前記医用画像に対する読影が最終段階まで終了している場合には、最終段階の読影レポート画面のみを表示させ、他の読影段階の読影レポート画面を選択するためのタブを非表示とする。
【００１１】
請求項５に記載の発明は、医用画像に対して複数の読影段階毎にそれぞれ異なるユーザにより入力される読影結果を示す複数の読影レポートを作成する際の読影レポート表示方法であって、読影レポート記憶手段に記憶されている、前記複数の読影段階毎に作成される複数の読影レポートのそれぞれを含む各読影レポート画面をタブにより切り替え可能に表示手段に表示させる表示制御工程を含み、読影状態記憶手段に記憶されている複数の読影段階毎の読影状態に基づいて、初期画面としていずれの読影段階の読影レポート画面を表示するかを選択する選択工程をさらに含み、前記表示制御工程では、前記選択工程において選択された読影段階の読影レポート画面を初期画面として前記表示手段に表示させる。
【発明の効果】
【００１２】
請求項１、５に記載の発明によれば、複数の読影段階毎の読影状態に基づいて、初期画面として表示する読影レポート画面を選択するので、読影レポートの作成における操作性を向上させることができる。
【００１３】
請求項２に記載の発明によれば、認識されたユーザに対応する読影レポートの作成権限の有無に基づいて、初期画面として表示する読影レポート画面を選択するので、読影レポートの作成における操作性を向上させることができる。
【００１４】
請求項３に記載の発明によれば、各読影レポート画面に対応する作成者を表示することができる。
【００１５】
請求項４に記載の発明によれば、最終段階以外の読影レポート画面を選択するためのタブを非表示とするので、誤診を防ぐことができる。
【図面の簡単な説明】
【００１６】
【図１】読影レポート作成システムのシステム構成図である。
【図２】医用情報管理サーバの機能的構成を示すブロック図である。
【図３】各ＴＢＬの関係を示す概念図である。
【図４】レポートＴＢＬの例を示す図である。
【図５】レポートドキュメントＴＢＬの例を示す図である。
【図６】レポート添付画像ＴＢＬの例を示す図である。
【図７】ユーザＴＢＬの例を示す図である。
【図８】クライアント端末の機能的構成を示すブロック図である。
【図９】クライアント端末において実行される読影レポート画面表示処理を示すフローチャートである。
【図１０】クライアント端末において実行される読影レポート画面表示処理を示すフローチャートである。
【図１１】クライアント端末において実行される読影レポート画面表示処理を示すフローチャートである。
【図１２】第１の実施の形態における読影レポート画面の例を示す。
【図１３】第２の実施の形態における読影レポート画面の例を示す。
【図１４】第３の実施の形態における読影レポート画面の例を示す。
【発明を実施するための形態】
【００１７】
［第１の実施の形態］
まず、本発明の第１の実施の形態について説明する。
図１に、読影レポート作成システム１００のシステム構成を示す。図１に示すように、読影レポート作成システム１００は、医用情報管理サーバ１０とクライアント端末２０とが、ＬＡＮ（Local Area Network）等のネットワークＮを介してデータ通信可能に接続されて構成されている。ネットワークＮは、ＤＩＣＯＭ（Digital Imaging and Communications in Medicine）規格が適用されている。
【００１８】
読影レポート作成システム１００は、医用画像に対して複数の読影段階毎に、それぞれ異なるユーザにより入力される読影結果を示す複数の読影レポートを作成するためのシステムである。
【００１９】
医用情報管理サーバ１０は、ＰＡＣＳにより構成され、各種モダリティにより生成された医用画像の画像データのファイル（以下、画像ファイルという。）や読影レポート等を保存し、クライアント端末２０等の外部機器からの要求に応じて画像ファイルや読影レポート等を提供する。
【００２０】
図２に、医用情報管理サーバ１０の機能的構成を示す。図２に示すように、医用情報管理サーバ１０は、ＣＰＵ（Central Processing Unit）１１、操作部１２、表示部１３、通信部１４、ＲＯＭ（Read Only Memory）１５、ＲＡＭ（Random Access Memory）１６、記憶部１７を備えて構成され、各部はバス１８により接続されている。
【００２１】
ＣＰＵ１１は、医用情報管理サーバ１０の各部の処理動作を統括的に制御する。具体的には、ＣＰＵ１１は、操作部１２から入力される操作信号又は通信部１４により受信される指示信号に応じて、ＲＯＭ１５に記憶されている各種処理プログラムを読み出し、ＲＡＭ１６内に形成されたワークエリアに展開し、当該プログラムとの協働により各種処理を行う。
【００２２】
操作部１２は、カーソルキー、数字入力キー、及び各種機能キー等を備えたキーボードと、マウス等のポインティングデバイスを備えて構成され、キーボードに対するキー操作やマウス操作により入力された操作信号をＣＰＵ１１に出力する。
【００２３】
表示部１３は、ＬＣＤ（Liquid Crystal Display）により構成され、ＣＰＵ１１から入力される表示データに基づいて各種画面を表示する。
【００２４】
通信部１４は、クライアント端末２０等の外部機器との間でデータの送受信を行うインターフェースである。
【００２５】
ＲＯＭ１５は、不揮発性の半導体メモリ等により構成され、制御プログラム、当該プログラムの実行に必要なパラメータやファイル等を記憶している。
【００２６】
ＲＡＭ１６は、ＣＰＵ１１により実行制御される各種処理において、ＲＯＭ１５から読み出された各種プログラム、入力若しくは出力データ、及びパラメータ等を一時的に記憶するワークエリアを形成する。
【００２７】
記憶部１７は、ハードディスク等により構成され、各種データを記憶する。具体的には、記憶部１７には、画像ファイル３０、患者ＴＢＬ（テーブル）３１、検査ＴＢＬ３２、シリーズＴＢＬ３３、画像ＴＢＬ３４、レポートＴＢＬ３５、レポートドキュメントＴＢＬ３６、レポート添付画像ＴＢＬ３７、ユーザＴＢＬ３８が記憶されている。
【００２８】
図３は、各ＴＢＬ３１〜３７の関係を示す概念図である。ある検査（検査により生成された医用画像）に対して、レポート（読影レポート）が対応付けられており、各レポートに対して、レポートを構成するレポートドキュメント（文書・テキスト内容）及びレポート添付画像が対応付けられている。
【００２９】
患者ＴＢＬ３１には、患者ＬＩＤ（Link Identification）と対応付けられて、患者名、生年月日、性別等の患者に関する情報が格納されている。
検査ＴＢＬ３２には、検査ＬＩＤと対応付けられて、検査インスタンスＵＩＤ、検査日、担当医師名等の検査に関する情報が格納されている。
シリーズＴＢＬ３３には、シリーズＬＩＤと対応付けられて、シリーズインスタンスＵＩＤ、モダリティ名（検査種）、検査部位、シリーズ番号等のシリーズに関する情報が格納されている。
画像ＴＢＬ３４には、画像ＬＩＤと対応付けられて、ＳＯＰインスタンスＵＩＤ、画像番号等の医用画像に関する情報が格納されている。
【００３０】
図４に、レポートＴＢＬ３５の例を示す。レポートＴＢＬ３５には、読影レポートの識別情報であるレポートＬＩＤと対応付けられて、検査ＬＩＤ、読影段階、読影状態、作成者ＩＤ、作成日付、作成時刻、読み取り権限グループ、書き込み権限グループ等が格納されている。
【００３１】
読影段階は、複数の読影段階を示すものであり、０次読影、１次読影、２次読影、承認読影等が含まれる。
「０次読影」とは、技師によって行われるものであり、読影レポートとして、画像撮影時に気付いたことや医師に伝えておきたいことが入力される。
「１次読影」とは、第１の医師により行われるものであり、読影レポートとして、読影結果が入力される。
「２次読影」とは、第１の医師による読影後、第２の医師により行われるものであり、読影レポートとして、読影結果が入力される。
「承認読影」とは、第１の医師及び第２の医師による読影後、承認権限のある医師により行われるものである。通常は、読影レポートとして、１次読影又は２次読影の読影結果が採用されるが、その他の情報を含んでいてもよい。
【００３２】
読影状態は、各読影段階における読影の状態を示す情報であり、未読影、読影中、読影済、修正待等が含まれる。
「未読影」は、対象検査画像が、まだ読影されていない状態である。
「読影中」は、いずれかのユーザによって、対象検査画像が読影されている状態（読影レポート画面が表示されている状態、読影レポート画面に対して書き込みが行われている状態）である。
「読影済」は、対象検査画像の読影が終了している状態である。
「修正待」は、一旦「読影済」になった読影レポートに対して、他のユーザ（読影レポートを記載した医師よりも権限のある医師）によって修正するように依頼があった状態である。
【００３３】
作成者ＩＤには、読影結果を入力したユーザ、すなわち、読影レポートを作成したユーザのユーザＬＩＤが格納されている。
作成日付、作成時刻は、読影レポートが作成された日付、時刻である。
【００３４】
読み取り権限グループは、対応する検査の各読影段階の読影レポートに対して読み取りが許可されているユーザのグループを示す。すなわち、読み取り権限グループにおいて指定されたグループのみが、読影レポートの読み取りが可能となる。
書き込み権限グループは、対応する検査の各読影段階の読影レポートに対して書き込みが許可されているユーザのグループを示す。すなわち、書き込み権限グループにおいて指定されたグループのみが、読影レポートの書き込みが可能となる。
【００３５】
図５に、レポートドキュメントＴＢＬ３６の例を示す。レポートドキュメントＴＢＬ３６には、レポート文書ＬＩＤと対応付けられて、レポートＬＩＤ、テキスト文書情報等が格納されている。テキスト文書情報には、実際に読影レポートとして記載された読影結果が保存される。
【００３６】
図６に、レポート添付画像ＴＢＬ３７の例を示す。レポート添付画像ＴＢＬ３７には、レポート添付画像ＬＩＤと対応付けられて、レポートＬＩＤ、ファイルパス等が格納されている。ファイルパスは、読影レポートに添付される画像ファイル３０が保存されている場所を示す情報である。
【００３７】
図７に、ユーザＴＢＬ３８の例を示す。ユーザＴＢＬ３８には、ユーザＬＩＤと対応付けられて、ユーザが所属するグループ、ログイン名等が格納されている。
なお、ユーザＴＢＬ３８のユーザＬＩＤに対するグループと、レポートＴＢＬ３５の各レポートＬＩＤ（ある検査画像の読影段階に対応している）に対する書き込み権限グループと、により、ユーザ毎に複数の読影段階における読影レポートの作成権限の有無を記憶する権限記憶手段が構成される。
【００３８】
ＣＰＵ１１は、クライアント端末２０から画像ファイル３０の取得要求があった場合に、要求された画像ファイル３０を記憶部１７から読み出し、クライアント端末２０に送信する。
【００３９】
ＣＰＵ１１は、クライアント端末２０から各ＴＢＬ３１〜３８の情報の取得要求があった場合に、要求された情報を記憶部１７から読み出し、クライアント端末２０に送信する。
【００４０】
クライアント端末２０は、医用情報管理サーバ１０から取得した画像ファイル３０に基づいて医用画像を表示させ、当該医用画像の読影を行うための装置であって、ＰＣ（Personal Computer）等から構成される。
【００４１】
図８に、クライアント端末２０の機能的構成を示す。図８に示すように、クライアント端末２０は、ＣＰＵ２１、操作部２２、表示部２３、通信部２４、ＲＯＭ２５、ＲＡＭ２６、記憶部２７を備え、各部はバス２８により接続されている。
【００４２】
ＣＰＵ２１は、クライアント端末２０の各部の処理動作を統括的に制御する。具体的には、ＣＰＵ２１は、操作部２２から入力される操作信号又は通信部２４により受信される指示信号に応じて、ＲＯＭ２５に記憶されている各種処理プログラムを読み出し、ＲＡＭ２６内に形成されたワークエリアに展開し、当該プログラムとの協働により各種処理を行う。
【００４３】
操作部２２は、ユーザによる操作指示を受け付ける機能部である。操作部２２は、カーソルキー、数字入力キー、及び各種機能キー等を備えたキーボードと、マウス等のポインティングデバイスを備えて構成され、キーボードに対するキー操作やマウス操作により入力された操作信号をＣＰＵ２１に出力する。
【００４４】
表示部２３は、ＬＣＤにより構成される高精細モニタ装置であり、ＣＰＵ２１から入力される表示データに基づいて各種画面を表示する。例えば、表示部２３は、読影対象となる医用画像や読影レポートを表示する。
【００４５】
通信部２４は、医用情報管理サーバ１０等の外部機器との間でデータの送受信を行うインターフェースである。
【００４６】
ＲＯＭ２５は、不揮発性の半導体メモリ等により構成され、制御プログラム、当該プログラムの実行に必要なパラメータやファイル等を記憶している。
【００４７】
ＲＡＭ２６は、ＣＰＵ２１により実行制御される各種処理において、ＲＯＭ２５から読み出された各種プログラム、入力若しくは出力データ、及びパラメータ等を一時的に記憶するワークエリアを形成する。
【００４８】
記憶部２７は、ハードディスク等により構成され、各種データを記憶する。
【００４９】
ＣＰＵ２１は、通信部２４を介して、医用情報管理サーバ１０に対して、記憶部１７に記憶されている医用画像の画像ファイル３０の取得要求を送信し、医用情報管理サーバ１０から医用画像の画像ファイル３０を取得する。ＣＰＵ２１は、医用情報管理サーバ１０から取得した画像ファイル３０に基づいて、医用画像を表示部２３に表示させる。
【００５０】
ＣＰＵ２１は、読影対象の医用画像に対する複数の読影レポートを医用情報管理サーバ１０から取得し、複数の読影レポートのそれぞれを含む各読影レポート画面をタブにより切り替え可能に表示部２３に表示させる。
この際、ＣＰＵ２１は、読影対象の医用画像に対する複数の読影段階毎の読影状態を医用情報管理サーバ１０から取得する。また、ＣＰＵ２１は、読影レポート作成システム１００を使用中であると認識されたユーザ（クライアント端末２０からログイン中のユーザ）に対応する複数の読影段階における読影レポートの作成権限の有無を医用情報管理サーバ１０から取得する。ＣＰＵ２１は、複数の読影段階毎の読影状態及び読影レポートの作成権限の有無に基づいて、初期画面としていずれの読影段階の読影レポート画面を表示するかを選択する。そして、ＣＰＵ２１は、選択された読影段階の読影レポート画面を初期画面として表示部２３に表示させる。
【００５１】
次に、動作について説明する。
図９〜図１１は、クライアント端末２０において実行される読影レポート画面表示処理を示すフローチャートである。この処理は、ＣＰＵ２１とＲＯＭ２５に記憶されているプログラムとの協働によるソフトウェア処理によって実現される。
【００５２】
まず、ユーザの操作部２２からの操作により、読影レポート作成システム１００に対するログイン操作が行われると、ＣＰＵ１１により、ログインしたユーザが認識される（ステップＳ１）。具体的には、操作部２２からユーザのログイン名が入力され、ＣＰＵ２１により、通信部２４を介して医用情報管理サーバ１０にログイン名が送信される。ログイン後は、クライアント端末２０のＣＰＵ２１と、医用情報管理サーバ１０のＣＰＵ１１とにより、ログイン名に対応するユーザＬＩＤ（図７参照）のユーザが読影レポート作成システム１００を使用中であることが認識されている。
【００５３】
次に、ＣＰＵ２１により、通信部２４を介して医用情報管理サーバ１０に検査リストの取得要求が送信される。そして、ＣＰＵ２１により、医用情報管理サーバ１０から検査リストが取得され、検査リスト画面が表示部２３に表示される。そして、ユーザの操作部２２からの操作により、読影対象検査が選択される（ステップＳ２）。
【００５４】
次に、ＣＰＵ２１により、選択された検査の検査ＬＩＤに基づいて、医用情報管理サーバ１０のレポートＴＢＬ３５から検査ＬＩＤに対応する情報が取得される（ステップＳ３）。取得される情報には、検査ＬＩＤに対応するレポートＬＩＤ、レポートＬＩＤ毎の読影段階、読影状態、作成者ＩＤ、作成日付、作成時刻、読み取り権限グループ、書き込み権限グループが含まれる。なお、読影レポートが作成されていない読影段階については、作成者ＩＤ、作成日付、作成時刻は空欄である。取得された情報は、ＣＰＵ２１により、ＲＡＭ２６に格納される。
具体的には、ＣＰＵ２１により、通信部２４を介して医用情報管理サーバ１０に対して、検査ＬＩＤに対応する情報の取得要求が送信される。医用情報管理サーバ１０では、ＣＰＵ１１により、記憶部１７に記憶されているレポートＴＢＬ３５から検査ＬＩＤに対応する情報が読み出され、通信部１４を介してクライアント端末２０に送信される。
【００５５】
次に、ＣＰＵ２１により、取得されたレポートＬＩＤに基づいて、医用情報管理サーバ１０のレポートドキュメントＴＢＬ３６及びレポート添付画像ＴＢＬ３７からレポートＬＩＤに対応する情報が取得される（ステップＳ４）。取得される情報には、レポートＬＩＤに対応するテキスト文書情報及びファイルパスが含まれる。取得された情報は、ＣＰＵ２１により、ＲＡＭ２６に格納される。
具体的には、ＣＰＵ２１により、通信部２４を介して医用情報管理サーバ１０に対して、レポートＬＩＤに対応する情報の取得要求が送信される。医用情報管理サーバ１０では、ＣＰＵ１１により、記憶部１７に記憶されているレポートドキュメントＴＢＬ３６及びレポート添付画像ＴＢＬ３７からレポートＬＩＤに対応する情報が読み出され、通信部１４を介してクライアント端末２０に送信される。
【００５６】
次に、ＣＰＵ２１により、表示部２３に表示される画面の構築が行われる（ステップＳ５）。具体的には、ＣＰＵ２１により、読影対象となる医用画像を表示する領域や読影レポートの入力・表示領域が決定される。
【００５７】
次に、ＣＰＵ２１により、医用情報管理サーバ１０のユーザＴＢＬ３８からログイン名（ユーザＬＩＤ）に対応するグループが取得され、ログインユーザが技師であるか医師であるかが判断される（ステップＳ６）。
具体的には、ＣＰＵ２１により、通信部２４を介して医用情報管理サーバ１０に対して、ログイン名に対応するグループの取得要求が送信される。医用情報管理サーバ１０では、ＣＰＵ１１により、記憶部１７に記憶されているユーザＴＢＬ３８からログイン名に対応するグループが読み出され、通信部１４を介してクライアント端末２０に送信される。
【００５８】
ログインユーザが技師である場合には（ステップＳ６；技師）、ＣＰＵ２１により、読影対象検査が承認読影済であるか否かが判断される（ステップＳ７）。
具体的には、ＣＰＵ２１により、ＲＡＭ２６に格納されているレポートＴＢＬ３５から取得された情報に基づいて、読影段階が「承認読影」のレコードの読影状態が「読影済」であるか否かが判断される。
【００５９】
読影対象検査が承認読影済でない場合には（ステップＳ７；ＮＯ）、ＣＰＵ２１により、初期画面として０次読影タブが選択される（ステップＳ８）。
一方、読影対象検査が承認読影済である場合には（ステップＳ７；ＹＥＳ）、ＣＰＵ２１により、初期画面として承認読影タブが選択される（ステップＳ９）。
【００６０】
ステップＳ６において、ログインユーザが医師である場合には（ステップＳ６；医師）、図１０に移り、ＣＰＵ２１により、読影対象検査の１次読影が未読影であるか否かが判断される（ステップＳ１０）。
具体的には、ＣＰＵ２１により、ＲＡＭ２６に格納されているレポートＴＢＬ３５から取得された情報に基づいて、読影段階が「１次読影」のレコードの読影状態が「未読影」であるか否かが判断される。
【００６１】
読影対象検査の１次読影が未読影である場合には（ステップＳ１０；ＹＥＳ）、ＣＰＵ２１により、読影対象検査の１次読影についてログインユーザに書き込み権限があるか否かが判断される（ステップＳ１１）。
具体的には、ＣＰＵ２１により、ＲＡＭ２６に格納されているレポートＴＢＬ３５から取得された情報に基づいて、読影段階が「１次読影」のレコードの書き込み権限グループに「医師」が入っているか否かが判断される。
【００６２】
読影対象検査の１次読影についてログインユーザに書き込み権限がある場合には（ステップＳ１１；ＹＥＳ）、ＣＰＵ２１により、初期画面として１次読影タブが選択される（ステップＳ１２）。
【００６３】
ステップＳ１０において、読影対象検査の１次読影が未読影でない場合（ステップＳ１０；ＮＯ）、又は、ステップＳ１１において、読影対象検査の１次読影についてログインユーザに書き込み権限がない場合には（ステップＳ１１；ＮＯ）、ＣＰＵ２１により、読影対象検査の１次読影が読影中、修正待又は読影済であるか否かが判断される（ステップＳ１３）。
具体的には、ＣＰＵ２１により、ＲＡＭ２６に格納されているレポートＴＢＬ３５から取得された情報に基づいて、読影段階が「１次読影」のレコードの読影状態が「読影中」、「修正待」又は「読影済」であるか否かが判断される。
【００６４】
読影対象検査の１次読影が読影中、修正待又は読影済である場合には（ステップＳ１３；ＹＥＳ）、ＣＰＵ２１により、１次読影の読影レポートが、ログインユーザ本人が記載した内容であるか否かが判断される（ステップＳ１４）。
具体的には、ＣＰＵ２１により、ＲＡＭ２６に格納されているレポートＴＢＬ３５から取得された情報に基づいて、読影段階が「１次読影」のレコードの作成者ＩＤがログインユーザと一致するか否かが判断される。なお、読影段階が「１次読影」のレコードの作成者ＩＤがログインユーザと一致する場合には、ログインユーザに１次読影の読影レポートに対する書き込み権限があることが前提となっている。
【００６５】
１次読影の読影レポートが、ログインユーザ本人が記載した内容である場合には（ステップＳ１４；ＹＥＳ）、ＣＰＵ２１により、初期画面として１次読影タブが選択される（ステップＳ１２）。
【００６６】
ステップＳ１３において、読影対象検査の１次読影が読影中、修正待又は読影済でない場合（ステップＳ１３；ＮＯ）、又は、ステップＳ１４において、１次読影の読影レポートが、ログインユーザ本人が記載した内容でない場合には（ステップＳ１４；ＮＯ）、図１１に移り、ＣＰＵ２１により、読影対象検査の２次読影が未読影であるか否かが判断される（ステップＳ１５）。
具体的には、ＣＰＵ２１により、ＲＡＭ２６に格納されているレポートＴＢＬ３５から取得された情報に基づいて、読影段階が「２次読影」のレコードの読影状態が「未読影」であるか否かが判断される。
【００６７】
読影対象検査の２次読影が未読影である場合には（ステップＳ１５；ＹＥＳ）、ＣＰＵ２１により、読影対象検査の２次読影についてログインユーザに書き込み権限があるか否かが判断される（ステップＳ１６）。
具体的には、ＣＰＵ２１により、ＲＡＭ２６に格納されているレポートＴＢＬ３５から取得された情報に基づいて、読影段階が「２次読影」のレコードの書き込み権限グループに「医師」が入っているか否かが判断される。
【００６８】
読影対象検査の２次読影についてログインユーザに書き込み権限がある場合には（ステップＳ１６；ＹＥＳ）、ＣＰＵ２１により、初期画面として２次読影タブが選択される（ステップＳ１７）。
【００６９】
ステップＳ１５において、読影対象検査の２次読影が未読影でない場合（ステップＳ１５；ＮＯ）、又は、ステップＳ１６において、読影対象検査の２次読影についてログインユーザに書き込み権限がない場合には（ステップＳ１６；ＮＯ）、ＣＰＵ２１により、読影対象検査の２次読影が読影中、修正待又は読影済であるか否かが判断される（ステップＳ１８）。
具体的には、ＣＰＵ２１により、ＲＡＭ２６に格納されているレポートＴＢＬ３５から取得された情報に基づいて、読影段階が「２次読影」のレコードの読影状態が「読影中」、「修正待」又は「読影済」であるか否かが判断される。
【００７０】
読影対象検査の２次読影が読影中、修正待又は読影済である場合には（ステップＳ１８；ＹＥＳ）、ＣＰＵ２１により、２次読影の読影レポートが、ログインユーザ本人が記載した内容であるか否かが判断される（ステップＳ１９）。
具体的には、ＣＰＵ２１により、ＲＡＭ２６に格納されているレポートＴＢＬ３５から取得された情報に基づいて、読影段階が「２次読影」のレコードの作成者ＩＤがログインユーザと一致するか否かが判断される。なお、読影段階が「２次読影」のレコードの作成者ＩＤがログインユーザと一致する場合には、ログインユーザに２次読影の読影レポートに対する書き込み権限があることが前提となっている。
【００７１】
２次読影の読影レポートが、ログインユーザ本人が記載した内容である場合には（ステップＳ１９；ＹＥＳ）、ＣＰＵ２１により、初期画面として２次読影タブが選択される（ステップＳ１７）。
【００７２】
ステップＳ１８において、読影対象検査の２次読影が読影中、修正待又は読影済でない場合（ステップＳ１８；ＮＯ）、又は、ステップＳ１９において、２次読影の読影レポートが、ログインユーザ本人が記載した内容でない場合には（ステップＳ１９；ＮＯ）、ＣＰＵ２１により、初期画面として承認読影タブが選択される（ステップＳ２０）。
【００７３】
ステップＳ８、ステップＳ９、ステップＳ１２、ステップＳ１７又はステップＳ２０の後、ＣＰＵ２１により、選択されたタブの読影レポート画面が初期画面として表示部２３に表示される（ステップＳ２１）。
具体的には、ＣＰＵ２１により、ＲＡＭ２６に格納されているレポートＴＢＬ３５から取得された情報に基づいて、選択されたタブ（読影段階）に対応するレポートＬＩＤが取得される。そして、ＣＰＵ２１により、ＲＡＭ２６に格納されているレポートドキュメントＴＢＬ３６から取得された情報に基づいて、このレポートＬＩＤに対応するテキスト文書情報が読み出され、読影結果が表示される。また、ＣＰＵ２１により、ＲＡＭ２６に格納されているレポート添付画像ＴＢＬ３７から取得された情報に基づいて、このレポートＬＩＤに対応するファイルパスが読み出され、ファイルパスに基づいて医用情報管理サーバ１０から画像ファイル３０が取得され、当該画像ファイル３０に基づいて医用画像が表示される。
以上で、読影レポート画面表示処理が終了する。
【００７４】
図１２に、読影レポート画面の例を示す。０次読影タブ４１、１次読影タブ４２、２次読影タブ４３、承認読影タブ４４が切り替え可能に表示されている。図１２は、０次読影タブ４１が選択され、０次読影に対応する読影レポート画面４５が初期画面として表示された状態である。０次読影タブ４１で選択された読影レポート画面４５には、０次読影に対する読影レポート入力・表示領域４６、参照画像表示領域４７が含まれる。読影レポート入力・表示領域４６には、レポートドキュメントＴＢＬ３６から取得されたテキスト文書情報に基づいて、０次読影の読影レポートが表示される。参照画像表示領域４７には、レポート添付画像ＴＢＬ３７から取得されたファイルパスで指定される画像ファイル３０に基づいて、レポートに添付されている医用画像が表示される。
１次読影タブ４２が選択された場合には、１次読影に対応する読影レポート画面が表示され、２次読影タブ４３が選択された場合には、２次読影に対応する読影レポート画面が表示され、承認読影タブ４４が選択された場合には、承認読影に対応する読影レポート画面が表示される。
【００７５】
以上説明したように、第１の実施の形態における読影レポート作成システム１００によれば、複数の読影段階毎の読影状態、及び、認識されたユーザに対応する読影レポートの作成権限の有無に基づいて、初期画面として表示する読影レポート画面を選択するので、読影レポートの作成における操作性を向上させることができる。
【００７６】
なお、第１の実施の形態では、読影対象の医用画像に対する複数の読影段階毎の読影状態、及び、ユーザに対応する複数の読影段階における読影レポートの作成権限の有無に基づいて、初期画面として表示する読影レポート画面を選択する場合について説明したが、読影対象の医用画像に対する複数の読影段階毎の読影状態、又は、ユーザに対応する複数の読影段階における読影レポートの作成権限の有無のいずれかに基づいて、初期画面としていずれの読影段階の読影レポート画面を表示するかを選択することとしてもよい。
【００７７】
［第２の実施の形態］
次に、本発明を適用した第２の実施の形態について説明する。
第２の実施の形態における読影レポート作成システムは、第１の実施の形態に示した読影レポート作成システム１００と同様の構成によってなるため、図１〜８を援用し、その構成については図示及び説明を省略する。読影レポート画面の初期画面の選択方法については、第１の実施の形態と同様であるが、読影対象の医用画像に対する複数の読影段階毎の読影状態、又は、ユーザに対応する複数の読影段階における読影レポートの作成権限の有無のいずれかに基づいて、初期画面としていずれの読影段階の読影レポート画面を表示するかを選択することとしてもよい。以下、第２の実施の形態に特徴的な構成及び処理について説明する。
【００７８】
ＣＰＵ２１は、複数の読影段階毎の読影状態、及び、複数の読影レポート毎のユーザ（作成者）に基づいて、医用画像に対する読影が終了している読影段階の読影レポート画面については、当該読影レポート画面に対応するタブに、当該読影レポート画面に表示される読影結果を入力したユーザを表示させる。
具体的には、ＣＰＵ２１は、読影対象検査について、医用情報管理サーバ１０のレポートＴＢＬ３５、ユーザＴＢＬ３８から取得した情報を利用する。ＣＰＵ２１は、レポートＴＢＬ３５から取得した情報に基づいて、読影状態が「読影済」の読影段階について、作成者ＩＤを取得し、ユーザＴＢＬ３８から取得した情報に基づいて、作成者ＩＤ（ユーザＬＩＤ）に対応するユーザ名（ログイン名）を取得する。そして、ＣＰＵ２１は、各読影段階に対応するタブに、各タブの読影結果を入力したユーザ名を表示させる。
【００７９】
図１３に、２次読影まで終了した読影レポート画面の例を示す。０次読影タブ５１には、０次読影の読影レポートの作成者のユーザ名が「tanaka」と表示され、１次読影タブ５２には、１次読影の読影レポートの作成者のユーザ名が「yamada」と表示され、２次読影タブ５３には、２次読影の読影レポートの作成者のユーザ名が「hayashi」と表示されている。
【００８０】
以上説明したように、第２の実施の形態における読影レポート作成システムによれば、第１の実施の形態と同様の効果に加えて、各読影レポート画面に対応するタブに、各読影レポート画面の作成者を表示することができる。そのため、ユーザは、各読影レポート画面の作成者を把握することが容易になる。
【００８１】
［第３の実施の形態］
次に、本発明を適用した第３の実施の形態について説明する。
第３の実施の形態における読影レポート作成システムは、第１の実施の形態に示した読影レポート作成システム１００と同様の構成によってなるため、図１〜８を援用し、その構成については図示及び説明を省略する。読影レポート画面の初期画面の選択方法については、読影が最終段階まで終了している場合を除き、第１の実施の形態と同様であるが、読影対象の医用画像に対する複数の読影段階毎の読影状態、又は、ユーザに対応する複数の読影段階における読影レポートの作成権限の有無のいずれかに基づいて、初期画面としていずれの読影段階の読影レポート画面を表示するかを選択することとしてもよい。以下、第３の実施の形態に特徴的な構成及び処理について説明する。
【００８２】
ＣＰＵ２１は、読影対象検査に対応する複数の読影段階毎の読影状態に基づいて、医用画像に対する読影が最終段階まで終了している場合には、最終段階の読影レポート画面のみを表示させ、他の読影段階の読影レポート画面を選択するためのタブを非表示とする。
具体的には、ＣＰＵ２１は、読影対象検査について、医用情報管理サーバ１０のレポートＴＢＬ３５から取得した情報に基づいて、読影段階が「承認読影」のレコードの読影状態が「読影済」であるか否かを判断する。そして、ＣＰＵ２１は、読影段階が「承認読影」のレコードの読影状態が「読影済」である場合には、承認読影に対応する読影レポート画面のみを表示させ、０次読影、１次読影、２次読影に対応する読影レポート画面を選択するためのタブを非表示とする。
【００８３】
なお、最終段階の読影レポート画面のみを表示さる際に、第２の実施の形態と同様に、最終段階の読影レポート画面に対応するタブに、最終段階の読影レポート画面に表示される読影結果を入力したユーザ名を表示させることとしてもよい。
【００８４】
図１４に、承認読影まで終了した読影レポート画面の例を示す。承認読影タブ６１のみが表示されており、それ以前の読影段階に対応する読影レポート画面は参照できないようになっている。また、承認読影タブ６１には、承認読影の読影レポートの作成者のユーザ名が「takeda」と表示されている。
【００８５】
以上説明したように、第３の実施の形態における読影レポート作成システムによれば、第１の実施の形態と同様の効果に加えて、最終段階以外の読影レポート画面を選択するためのタブを非表示とするので、承認読影まで終了した検査画像に対して、採用されなかった読影レポートをユーザが見ることを防止できる。そのため、誤診を防ぐことができる。
【００８６】
なお、上記各実施の形態における記述は、本発明に係る読影レポート作成システムの例であり、これに限定されるものではない。システムを構成する各装置の細部構成及び細部動作に関しても本発明の趣旨を逸脱することのない範囲で適宜変更可能である。
【００８７】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００８８】
１０  医用情報管理サーバ
１１  ＣＰＵ
１２  操作部
１３  表示部
１４  通信部
１５  ＲＯＭ
１６  ＲＡＭ
１７  記憶部
１８  バス
２０  クライアント端末
２１  ＣＰＵ
２２  操作部
２３  表示部
２４  通信部
２５  ＲＯＭ
２６  ＲＡＭ
２７  記憶部
２８  バス
３０  画像ファイル
３１  患者ＴＢＬ
３２  検査ＴＢＬ
３３  シリーズＴＢＬ
３４  画像ＴＢＬ
３５  レポートＴＢＬ
３６  レポートドキュメントＴＢＬ
３７  レポート添付画像ＴＢＬ
３８  ユーザＴＢＬ
１００  読影レポート作成システム
Ｎ  ネットワーク
【図１】
2012198732.tif 000003
【図２】
2012198732.tif 000004
【図３】
2012198732.tif 000005
【図４】
2012198732.tif 000006
【図５】
2012198732.tif 000007
【図６】
2012198732.tif 000008
【図７】
2012198732.tif 000009
【図８】
2012198732.tif 000010
【図９】
2012198732.tif 000011
【図１０】
2012198732.tif 000012
【図１１】
2012198732.tif 000013
【図１２】
2012198732.tif 000014
【図１３】
2012198732.tif 000015
【図１４】
2012198732.tif 000016